(57)【要約】      （修正有）【課題】媒体となるカップ外周壁やトレーマット表面に、コンピュータに携帯電話の操作で繋がる記号標記を表示し、宣伝広告及び反応効果集積をするものである。【解決手段】携帯電話装備のキー及びカメラで、カップやトレーマットに表示されて在るＱＲコードや記号標記を、クリック又は接写読み取り操作してコンピュータに携帯電話を繋ぎ、宣伝広告や商品情報のコンテンツを携帯電話のディスプレから読み、読んだ反応がコンピュータに集積され宣伝効果を取得するＩＴ情報カップとトレーマット。【選択図】図１
2006072942.tif 000002
【特許請求の範囲】
【請求項１】
携帯電話のリーダーで読取る二次元バーコードを、他業種と提携して紙・樹脂・硝子製のカップ容器や蓋に表示し、バーコードのコンテンツにアンケートを求める商品と設問を付したことを特徴とするマーケティングリサーチシステム。
【請求項２】
携帯電話のリーダーで読取る二次元バーコードを、入場券・コースター・トレーマット等の印刷媒体に表示して行なうことを特徴とする、請求項１記載のマーケティングリサーチシステム。
【請求項３】
携帯電話のリーダーで読取る二次元バーコードのコンテンツに、アンケートを求める設問をした音楽データを組み入れて表示することを特徴とした、請求項１及び２記載のマーケティングリサーチシステム。
【請求項４】
前記携帯電話によるバーコード読取で回答されたアンケートを、コンピュータで受理整理したマーケティングリサーチのデータを関連者に頒布することを、特徴とする請求項１〜３記載の情報の処理システム。
【発明の詳細な説明】
【技術分野】
【０００１】本発明は、ＱＲコードによるマーケティングリサーチに関するものである。
【背景技術】
【０００２】従来より、バーコードは存在していた。バーコードは技術分類や製品管理・数量管理など多用途で盛んに使用され大変便利な記号として衆知されている。近年このバーコードが新しく二次元バーコードに改良進歩し、従来のバーコードよりも情報容量がはるかに大きく然るに表示のスペースは小さな二次元バーコードの一種ＱＲコードが出現した。（以降二次元バーコードをＱＲコードと言う）【０００３】ＱＲコードは許容情報量が多い割合に表示スペースが小さいことを厚遇として、携帯電話内蔵のリーダーで一度に全スペースを読取ることが出来る、非常に便利な開発が実用化さた。従来のバーコードであれば、情報を多く組入れればバーは大変長くなり、リーダー機能では一度に読み取ることは困難であるが、ＱＲコードは不安を一掃する機能のものである。
【特許文献１】  特開２００３−１０４３５５
【特許文献２】  特開２００３−８４６９８
ＱＲコード発表以前のバーコードによる特許文献１に記載されたものは、エンボスを持った紙を主材料とした外装紙を断熱容器に巻き付ける、製法が主題のものでバーコードが主体では無く又バーコードの読取りが正確に出来ることは述べられているが、バーコードの主目的の詳細は述べられていない。
特許文献２はバーコード及びＱＲコード関連の使用は示されて無く、広告付き容器による宣伝広告の企画を、コンピュータを使用して関連者に応募を促すシステムで、関係業者との間に提供されるものである。【０００４】ＱＲコードの利便性に着目し、携帯電話内蔵リーダーで読取って、情報の入手や金銭決済などの直接自社又は自己用の目的に使用されているものもあるが、これら自社又は自己用は表示の場所即ち媒体に懸かる費用も自社や自己負担のものである。。【０００５】現在、社会風習が目まぐるしく変転し、嗜好や休息にも新しい風が吹き、飲料にも例外なく変化が生じ同時に容器も目新しい材質と利用が出現している。従来は、飲料容器と言えば陶器とガラス製品であったが、近来はガラス、紙製、プラスチック、ペット等多種多様になり、同時に使用量は膨大な数量となり、容器を単なる『入れ物』として放置できない状況となっている。
【発明の開示】
【発明が解決しようとする課題】
【０００６】商品を販売する者にとって、自己の商品を如何に購買者に宣伝したら、販売量が増進されるのかが最大の関心事であり、また購買者は如何な広告方法で宣伝したら購買意欲が、発生するのか常に念頭に抱くもので、促進方法の一端として宣伝広告が用いられている。
その宣伝広告を行って幾人の購買潜在者が見てくれたのか、宣伝商品の形状や特質に対し好意ある了解を得られたのか、商品販売者全人が結果を知りたい望みは絶大である。然し一般的に新聞やチラシは一方的に実施され、宣伝反応の入手は不可能で、唯一テレビ局なども特別な反響調査を行なはなければ入手出来ないもので、多額の宣伝費と多額の反響調査費が必要とされるものである。
本発明はこの解決に莫大な数量が使用されている、飲料用の紙やプラスチック製カップ及びカップ敷物などの企業と提携し、提携企業の提供品を用いてアンケートの収集を図るものである。
【課題を解決するための手段】
【０００７】提携で提供される飲料用の紙製やプラスチックのクリア又はペットカップは、一回短期の使用で廃棄される物で、厳粛に考えれば一回使用廃棄物を活用する有意義事業とも言えるもので、容器以外の入場券やトレーマットも一回の使用で使命は終了するものである。【０００８】容器及び入場券などは製造した提携者自体の所有品で、所有者の使用内容品とＱＲコードコンテンツ内容品即ち宣伝物とは直接関連性がなく、提供される容器の形態は円筒状または逆円錐筒状に形成された、白紙製やプラスチックの透明又は半透明な容器の側壁部及び蓋部、又は他の媒体にＱＲコード表示する。【０００９】提携者の提供でＱＲコードを表示する容器は、主としてコーヒー・紅茶・ジュースなどの喫茶飲料店の外、一般の会社の給茶給水やスポーツ会場で大量に使用され、また飲料自動販売機による販売などの容器が対象となるものである。またスポーツ会場の入場券及びレストラン等で使用されるトレーマット等である。【００１０】広告宣伝を行うにも又マーケットリサーチを行うにも、掲載場所には使用料又は掲載費用が必要であり、現状ではともに費用は多額を要している。一例を容器で挙げるならば、容器の製造メーカーの製造ロット条件は非常に大きく、大手企業の大規模販売のみが対応可能な数量と金額であり、小規模企業は広告もマーケットリサーチも手を出し得ないものである。然し本発明は、マーケットリサーチ費用の軽減の為に、業種の異なる企業と提携し、安価な媒体を用いて実施を可能とする。【００１１】用いる媒体は、自己商品用に製造した容器の所有者と直接関連性の無い、アンケートを求める希望品と製造費負担を提携することで提供されるもので、容器或は紙材である。
提携者は提携によって表示される形態が、小形な面積で直接の商品画像を示すもので無く、提携者の商品と競合が少なく、自己商品に対するイメージ打撃損害を与えることが少ないと判断し合意するもので、容器に限らずトレーマット等の紙材においても同様である。【００１２】商品販売者にとって販売補助品である容器や紙材は必需品であり、又販売補助品の製造費は利益に大きく反響し、安価或は削減が出来れば最大の利得となる重要事項で放置せざる処である。又、資材製造費用の軽減のみならず本システムは販売面において、異業種の組み合わせで購買層の新規開拓となり、販売促進が取得される双方絶大な効果を生ずるものである。【００１３】ＱＲコードのコンテンツに音楽データを組み入れ表示することは、新聞などの紙材媒体に既に使用されているが、着メロ・着うた共に聴き取りのみで、マーケットリサーチのシステムは一般には行はれてい無い。
既に行われている、着メロ・着うた、の概要はヒット曲であって、年間新曲が毎日次々発売される音楽界において、着メロ・着うたに入らない曲や歌謡は大多数に存在し、ヒットの無かった新曲と言えども発売には多額の投資によって製作されたもので、関係者は事由情報を得て研修の為のマーケットリサーチ切望するものである。【００１４】音楽関連のＱＲコードは、曲全編のデーターをコンテンツに組み込むには容量で適合しないので、全編の場合は音楽データ専用のＵＲＬを開設するものである。また利用方法として歌詞歌曲に共感し、購入を求めるときは直ちに携帯電話で購入アクセスが出来る非常に便利に使用できるものである。
【発明を実施するための最良の形態】
【００１５】次に、本発明の実施の形態について、図面を参照しながら説明する。
【実施例１】
【００１６】図１は、本実施形態の構成を示すブロック図である。
ＱＲコード２を表示する一例のカップ容器３は、紙製やプラスチック製のペット又はクリアカップ或は硝子容器で、容器の外周側壁部や蓋頂部又は別種の一例のトレーマット４の適宜な位置に表示し、容器３又はトレーマット４の使用者が使用中に目に止め興味を懐き、普及して大衆が所持する携帯電話１のリーダーでＱＲコード２を読み取れば、電話液晶画面に商品宣伝情報が表示される。【００１７】続いて、今認識された宣伝品に対するアンケートの設問と回答を求める表示に進む。単なる回答要求のみで無く、回答に応募すればメリットの有る表示をしてもよい。【００１８】これら容器３やトレーマット４の活用場所は、現在に最も衆人の参集する処で、大多数の人数と膨大な数量の用品が使用されているもので、容器３を例に取れば、紙製カップの使用及び利用ではコーヒー・紅茶・ジュースなどの喫茶飲料店の外、一般会社の給茶給水やスポーツ会場のレストランで使用され、機械化の飲料自動販売も盛んに設置されていて、年間、何億個という膨大な個数で使用されている。【００１９】スポーツ会場の入場券・喫茶店のトレーマット４やコースターなど、全国チェーン店組織での使用量は莫大で、これらの容器３やトレーマップ４にＱＲコード２を表示することは、広告を目的としても又アンケートの募集にしても、新聞・ＴＶに比肩する数量の多い絶大な宣伝スペースである。【００２０】特に、本発明が提案する表示スペースは、新聞・ＴＶに優る特異性を持つもので、宣伝広告又はアンケートを収集する目的に対して、購買予備層の一人一人が自分の手に取って、確実に注視し、表示スペースに宣伝物の競合が少ないという、独占した唯一の宣伝媒体で目的を確実に伝える最優良の表示面であり方法である。【００２１】図２は、アンケートがコンピュータ５に繋がり入力され、回集したアンケート情報を分析処理し、研鑽したデータを提供するフローチャートの例題である。
【発明の効果】
【００２２】ＱＲコードを用いた販売商品の宣伝とアンケート収集を行うに、他目的の他業種所有者と提携し、容器又は紙材媒体の提供を受けこれに表示する方法は、新聞紙面や新聞折り込みチラシなどの宣伝方法の費用よりも破格に経費は安価である。新聞紙面の利用料金は非常に高額であり、折り込みチラシも又しかりであるが、商品メーカーや販売者は商品市場の動向調査や、商品の購入意欲調査などの調査研究は盛んに行われており、購買者の意向を知ることで販売方法が左右される所以にある。この重大課題がより安価に達成されることに、意欲の動くことは当然で、本発明が関心を呼ぶことは必然的である。
【００２３】本発明の実施方法が安価となる起因は、表示の掲載場所品目が特異であり、飲料用や入場券など基本条件が一回の使用後は廃棄となる物であるからで、本発明の利用が無ければ直ちに破棄消滅される物であって、この使用方法は再利用で有るからであり、新聞やチラシの場合とは全く異なり、用品の提供者は提携が無ければ、用品製造費用を全額負担するもので、提携により負担の分割が出来れば賛同するのは当然な結論である。
【００２４】本発明の再利用は特異特徴とされるものであり、多種多様な宣伝媒体が有る中で独占で他の広告と競合しない媒体は少なく、集中して注目し確実に記憶に残る宣伝方法は、商品販売並びにアンケート募集には絶大な有効手段である。
新聞やチラシその他の宣伝広告は、同種募集が多数並列されて表示され、よほどの特色がが無ければ目に写るのみで記憶には残らず、閲覧者１００人に一人、千人に一人の効果ととなるものである。
本発明のＱＲコードの利用は、表示の特異効果と同時にコンピュータと繋がることにより、アンケートの集計や分析の研鑽がスピード化され、尚かつ正確で有ることである。他の宣伝媒体の情報効果計算が口頭又は文字による算出が多いことに比し、本方法は電子機器の精密的確で確実なものである。
【図面の簡単な説明】
【００２５】
【図１】  本発明の実施形態の構成を示すブロック図である。
【図２】  本発明の実施形態の構成を示すフローチャートの例題である。
【符号の説明】
【００２６】    １    携帯電話
２    ＱＲコード
３    容器
４    トレーマット
５    コンピュータ
【図１】
2006072942.tif 000003
【図２】
2006072942.tif 000004
【手続補正書】
【提出日】平成17年7月27日(2005.7.27)
【手続補正１】
【補正対象書類名】特許請求の範囲
【補正対象項目名】全文
【補正方法】変更
【補正の内容】
【特許請求の範囲】
【請求項１】
カップ外周壁に携帯電話のキー及びカメラの操作でコンピュータに繋がる、記号標記及び二次元バーコードを表示し宣伝広告及び反応情報集積をする飲料カップ。
【請求項２】
飲食飲料用のトレーマットに携帯電話のキー及びカメラの操作でコンピュータに繋がる、記号標記及び二次元バーコードを表示し宣伝広告及び反応情報集積をするトレーマット。
【手続補正２】
【補正対象書類名】明細書
【補正対象項目名】全文
【補正方法】変更
【補正の内容】
【発明の詳細な説明】
【技術分野】
【０００１】本発明は、コーヒーカップ及びトレーマット使用のＩＴ宣伝情報に関するものである。
【背景技術】
【０００２】従来より、バーコードは存在していた。バーコードは技術分類や製品管理・数量管理など多用途で盛んに使用され大変便利な記号として衆知されている。近年このバーコードが新しく二次元バーコードに改良進歩し、従来のバーコードよりも情報容量がはるかに大きく、然るに表示のスペースは小さな二次元バーコードの一種ＱＲコードが出現し、（以降二次元バーコードをＱＲコードと言う）他にも通信社独自の記号標記も使用されている。【０００３】ＱＲコードは許容情報量が多い割合に表示スペースが小さいことを特徴として、携帯電話内蔵のリーダーで一度に全バーコードを読取ることができる小スペースで、従来のバーコードであれば情報を多く組入れればバーコードは大変長くなり、通常のリーダー機能では一度に読み取ることは困難であるが、ＱＲコードは非常に便利に開発されいてるので実用化され多用途で活用されている。
又、ＱＲコード以外に通信業者独自に設定された記号標記も各種が開発され、ＱＲコード同様に盛んに宣伝されている。
【特許文献１】  特開２００３−１０４３５５
【特許文献２】  特開２００３−８４６９８
特許文献１記載のものはＱＲコード発表以前のバーコード採用のもので、主題はエンボスのある紙資材を断熱用に容器外周に巻き付ける製法のもので、バーコードが主体では無く又バーコードの読取りが正確に出来ることは述べられているが、バーコードの主目的の詳細は述べられていない。
特許文献２はバーコード及びＱＲコード関連の使用は示されて無く、広告付き容器による宣伝広告の企画を、コンピュータを使用して同業関連者に応募を促すシステムで、関係業者との間に提供されるものである。【０００４】ＱＲコード及び記号標記は盛んに活用され利用され宣伝されているが、表示場所はほとんど新聞・雑誌・チラシ等でその他でほとんど見ることは無いものである。これら新聞雑誌等の表示場所にはＱＲコード及び記号標記以外の広告が何十何百と多数掲載され、運好く或は偶然に関心のある者の目に止まらぬ限り、繁多で着目されることは少ないものである。【０００５】近来、社会風習が目まぐるしく変転し嗜好や休息にも新しい風が吹き、飲料にも例外なく変化が生じ同時に容器も目新しい材質と利用が出現している。従来は、コーヒーの飲料容器と言えば陶器とガラス製品であつたが、近来はガラス・紙・プラスチック等多種多様が用いられ、使用場所もチェーン化されたコーヒー店が流行し同時に使用量は膨大な数量となり、容器を単なる『入れ物』と軽視できない状況となっている。
【発明の開示】
【発明が解決しようとする課題】
【０００６】商品を販売する者にとって、自己の商品を購買者に如何したらアピールし販売数量の増大が図られるかは最大の関心事であり、その手段として商品の宣伝が計画され広告が用いられている。然しその宣伝広告を行って幾人の潜在購買者が見てくれたのか、宣伝商品の形状や特徴に対し好意ある了解を得られたのか、商品販売者は結果を知りたい望みが多大に有り関心は絶大であるが、一般的に新聞やチラシは一方的に掲載し見せるものでその効果や反応まで広告掲載者に結果を提示されるものでは無い。例外にテレビ局などが多額の費用を投じて自社視聴率を調査するなど、営業販売には反響や効果は重大な必要品であって全員の熱望するもので有るが、本発明は宣伝広告と同時に効果反応の結果を集積する非常に有意義な特徴をもつ、宣伝広告とアンケート調査を同時に行うものである。
飲料用の紙やプラスチック製のカップ及びカップ敷物（トレーマット）にコンピュータに繋がるＱＲバーコード及び記号標記を表示し、携帯電話のキーやカメラの操作でコンピュータを起動し商品の宣伝広告と同時に広告に関心を寄せた人数即ちアクセス回数が記憶され反応数は確実に記録され宣伝広告の効果と結果を集積するもので大変便利有効な宣伝手段である。
【課題を解決するための手段】
【０００７】本発明に使用するカップ及びトレーマットは、本来１回限りの使用で廃棄される短期使用品で、本発明は廃棄物活用の有意義事業とも言えるもので、１回限り使用のカップ及びトレーマットの採用目的は製造価格が低額であることで、従来のガラスや陶器カップを使用すると長期使用に耐えるが、代わりに使用の度びに清潔の為の洗浄が必要であり、洗浄の為の人件費が社会進化で上昇して洗浄費が高騰となったので、割高回避から安価な紙及び樹脂製品のカップ使用となったもので、カップ代価が低額と雖ども使用するカップ数量は莫大であるから製造価格は多額となり、１回の飲料利用で廃棄するか若しくは活用するかで経営に大きな影響を与えるものである。【０００８】カップの使用消費数は非常に莫大で、特に日本国内に於て最大発行部数の新聞に匹敵する消費数が使用されているもので、宣伝媒体に注目されされるべきスペースと数量であるが未だ着目されて無く、推論すれば従来の発想はカップに商品画像並びに宣伝広告を直接掲載する様式を採り、カップ提供者の店側から飲料品イメージと掲示商品イメージの環境不適合の反対で進展し得なかったものと考える。【０００９】カップを宣伝媒体とする広告の需要は多種多様の商品広告であり、飲料品イメージと無関係隔離する物が多く、商品直接の表示は従来と同様に不適合と拒否されるので、これの解消に直接の商品画像や広告文の掲示の無い、マーク形姿のＱＲコード又は記号標記を経てコンピュータを利用するものである。【００１０】ＱＲコード及び別種の記号標記を採用すれば、表示スペースは小さく飲料店のカップ意匠を害することは無く、又商品画像や広告文の表示も無く、携帯電話機能を行使しなければ単なる模様又はマークであって飲料ムードを損うことは無く、ＱＲコード及び記号標記掲載を忌避する難点は見い出されず合意されるものである。【００１１】コンピュータによる宣伝広告は各種媒体で広範囲に盛んに活用されているが、多用されることは即ち有効であることを示し、広告掲載者もそれを検索し利用採用する者も厖大な数字で発展している。飲料カップやトレーマットに限定して探求すれば、カップの使用数は絶大な効果が期待できる大数量があり、特に優位な媒体とするものは媒体表示の広告が独占唯一で有ることである。テレビ・新聞・雑誌の掲載広告は同一媒体、同一紙面に何十社何十商品が掲載され、余程のラッキー又は偶然の興味が無ければ熟読も記憶もされず見過ごし去られることが多い。然るにカップ媒体は単独スポンサー・単独商品の掲載で運営されるのでコーヒータイム中、飲む度に手に持つカップの図柄に意識と興味が集まり所持する携帯のカメラでリードを行うものである。即ち広告を見ることとなり、見た広告は単独唯一であるから充分に記憶に止まり絶大な宣伝効果となる。【００１２】コンピュータによるインターネット広告と新聞・チラシなどと対比した場合、新聞・チラシの誌面に掲示する商品画像や宣伝文は多くを表示でき無いが、インターネットでは倍又は数倍・数十倍の文字数及びスペースの表示が可能で、充分な商品説明や案内を行える長所がある。
【発明を実施するための最良の形態】
【００１３】次に、本発明の実施の形態について、図面を参照しながら説明する。
【実施例１】
【００１４】図１は、本発明の実施形態を示すＱＲコードをカップに表示した斜視図である。
紙製カップ３及び樹脂製のクリア３やペットカップ３の外周壁を宣伝媒体部として広告を表示する。図面に示すＱＲコード２をカップ３にのみ限定して表示するものでは無く、一例を示したもので他のトレーマット４などにも適合の表示で利用する。ＱＲコード２はカップ３を装飾するデザインに合わせ適当なサイズで表示し、携帯電話１の装備カメラを操作しＱＲコード２を読み取り、コンピュータ５と携帯電話１を連結し携帯電話１のディスプレイに表示される宣伝広告や情報を読み取るものである。【００１５】図２は、本発明の実施形態を示す飲料飲食用トレーマットの平面図である。
図１と同様に図面に示す記号標記２はトレーマツト４のみに限定して表示するものでは無く、一例を示したものである。トレーマット４は飲食飲料品の運搬に使用するトレーに敷くマットで、コーヒーなとの販売に際し提供される物でコーヒーチェーン店では必需品であり数量もカップ同様多量に使用されている。
図示の記号標記２はＱＲコード２同様にクリックしてアクセスすればコンピュータ５に接続されるものでＱＲコードはカメラで、記号標記はＥＺキーとナンバーキーのクリックにより誰れでもが簡単に連結できるものである。【００１６】これらカップ３の活用場所はコーヒー・ハンバーガー・ジュースなどの喫茶飲食店の外、一般会社の給茶給水や飲料自動販売機などで使用され、飲食店チェーンではトレーマットもカップと共に膨大な数量で使用され、これらのカップ３やトレーマップ４を宣伝媒体として広告を表示することは、新聞・ＴＶに比肩する聴視数量の多い絶大な宣伝スペースである。
【発明の効果】
【００１７】本発明の実施は、本来１回限りの使用で廃棄される廃棄品の有意義な再活用で、本案提議が無ければ経済的には廃棄消耗品となるものであるが、本案は宣伝媒体として有料に勘案し媒体料金を提供するもので、提携するカップ提出の店側は莫大な数量で莫大な金額のカップ製造費を投資したものであり、カップ使用後無料廃棄と有料再活用の巨大収益案件に対し店経営者は当然に後者を採用するものである。
【００１８】カップの宣伝媒体価値は非常に大きいもので、他の媒体と対比して媒体に広告掲示が単独唯一は極めて少なく、スペース独占の広告は深く記憶に止まり宣伝効果は絶大な特異性をもっものである。更に携帯電話とコンピュータを繋ぎ宣伝広告を見た視聴者のアクセスは全て記録される機能を活用し、結果的に表示した商品広告の宣伝効果を的確な数字で確認する、通常の広告では得難い効果を取得すものである。
【図面の簡単な説明】
【００１９】
【図１】  本発明の実施形態を示すＱＲコードをカップに表示した斜視図。
【図２】  本発明の実施形態を示す飲料飲食用トレーマットの平面図。
【符号の説明】
【００２０】    １    携帯電話
２    ＱＲコード及び記号標記
３    カップ
４    トレーマット
５    コンピュータ
【手続補正３】
【補正対象書類名】図面
【補正対象項目名】全図
【補正方法】変更
【補正の内容】
【図１】
2006072942.tif 000005
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
カップ外周壁に情報通信端末機で読める二次元バーコードで、情報を表示できる各種情報を収録しているＱＲコードを表示したことを特徴とする飲料カップとトレーマット。
【請求項２】
カップ外周壁に情報通信端末機に入力ができる情報取得記号で、各種サービスや商品画像を提供する番号、記号又は組合わされたものが表示されていることを特徴とする飲料カップとトレーマット。
【請求項３】
情報通信端末機は、携帯電話、ＰＣ、デジタルカメラなどのコンピュータ機能を遂行する、又はコンピュータと連結してデーターを送受信できる端末機であることを特徴とする飲料カップとトレーマット。
【手続補正書】
【提出日】平成17年9月26日(2005.9.26)
【手続補正１】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
2006072942.tif 000006
【図２】
2006072942.tif 000007